(57)【要約】      （修正有）【課題】下腹部から恥骨部分への膨出した脂肪の下垂を緩和させながら、腹部の膨出を押さえるガードルを提供する。【解決手段】ガードルに於いて、ウエスト腹部面から腹部中央、下腹部を被う連続した形状であり、更に連続して股間を通り、股間後部まで到達する平面形状の生地を特徴とし、その部分には２１０デニールから３６０デニール程度の伸縮性を有するスパンデックス糸を使用した一方向には伸縮性を持ち、垂直に交わるもう一方向には非伸縮の性質をもった編み生地を２重、或いは２重の内の一枚に前記の生地を使用、もう一枚には両方向に伸縮した生地を、着用時横方向に伸縮性を持った方向に使い、更に前記の形状の布と脇腹部から臀部、太腿を被う生地の縫合部において、下腹部から恥骨部分の縫合寸法に差があり、その寸法差は前記の腹部を被う側の方が大きく、脇腹部から臀部、太腿を被う生地側が小さいガードルを提供する。【選択図】図１
0003107502.tif 000002
【実用新案登録請求の範囲】
【請求項１】
足付ガードルに於いて、ウエスト腹部面から腹部中央を被い、連続して下腹部から股間を通り、股間後部まで当たる部分が連続した平面形状となっており、その形状部分には素材特性として２１０デニールから３６０デニール程度の伸縮性を有するスパンデックス糸で編まれた、一方向には伸縮性を持ち、垂直に交わるもう一方向には非伸縮の性質をもった生地を用いて、同形状、同素材で２重、或いは一枚には前記で述べた生地と他一枚は両方向に伸縮性を持った同形状の生地を２重にして使用した事を特徴とするガードル。
【請求項２】
請求項１で述べたガードルの、ウエスト腹部面から腹部中央を被い連続して下腹部から股間を通り、股間後部に当たる部分が連続した平面形状と、脇腹部から臀部、太腿を被う生地との縫合部分の中の下腹部から恥骨部分に寸法差があり、その寸法差は請求項１で述べた腹部中央から股間を被う生地側の寸法が大きく、脇腹部から臀部、太腿を被う生地側の寸法が小さい特徴を持った足付きガードル。
【考案の詳細な説明】
【考案の詳細な説明】
【産業上の利用分野】
【０００１】本考案は股部を有するガードルの中で下腹部の膨出を抑えつつ、下腹部から恥骨部分の脂肪の下垂を緩和させる事を目的とした体型補正用の衣類に関するものである。
【背景技術】
【０００２】現在、腹部、臀部の体型を補整するために種種のガードルやパンティストッキングが提供されており、腹部に関しては既存のものには腹部中央に図２の様な形状の非伸縮の生地、あるいは伸縮性を持ったパワーネットを重ねる等の裏打ちを施す事で伸縮強度を出し、着用時に、腹部をより平面にする事を目的としたものは多いが、膨出と共に下垂しがちな腹部について、引き上げる事に着眼している製品は少ない。【０００３】下垂した状態では、下腹部まで補正する事は難しく、更に腹部中央の膨出した腹部を強く抑えているので、腹部の脂肪は下がり易くなり、それに伴いガードル前面の形状のずれも起き易くなる為、中央に施された裏打ち布の効果が安定して充分に得ることができない。
【考案の開示】
【考案が解決しようとする課題】
【０００４】下腹部から恥骨部分までの膨出した脂肪の下垂を緩和させながら、腹部の膨出を押さえるガードルを提供する。
【課題を解決するための手段】
【０００５】以下、解決の手段を図３を引用しながら、説明する。着用時、ウエスト腹部面から腹部中央、股間を通り、股間後部に当たる部分、通称マチを１枚の平面状の生地１ａと、前記１ａと同形状の１ｂの２重にしたものと脇腹部から臀部、太腿を被う生地２とで構成する。【０００６】ウエスト腹部から股間後部までに当たる生地１ａについては２１０デニールから３６０デニール程度の伸縮性を有するスパンデックス糸を用いた生地において、一方向には伸縮性を有し、垂直に交わるもう一方向は非伸縮の特性を持った素材を用いる。【０００７】又、前記腹部から股間後部にあたる生地１ａと、１ａと重ね合わせて使用する１ｂは同形状、同素材の２重使いが好ましいが、各々１枚変える場合は、同形状は必須条件とした上、１枚は前記に述べた、一方向には伸縮性を有し、もう一方向は非伸縮の特性を持った素材を用い、他１枚には両方向に伸縮性の有るものを用い、横方向への伸縮は重ね合わせても有さなければならない。【０００８】脇腹部から臀部、太腿を被う生地２については、２１０デニールから３６０デニール程度の伸縮性を有するスパンデックス糸を用いた編み生地において、両方向に伸縮性の有るものを用いる。【０００９】又、脇腹部から臀部、太腿を被う生地２はその被う範囲の中では縫合するなどの切り替えやダーツは幾つあっても構わない。【００１０】前記で述べた腹部から股間後部に当たる生地１ａと１ｂを重ね合わせた状態での８ａと、脇腹部から臀部、太腿を被う生地２との縫合部８ｂの箇所において、脇腹部から臀部、太腿を被う生地２側の縫合部８ｂ中の下腹部から恥骨部分の寸法１０ｂの寸法は腹部から股間後部に当たる生地１ａ、１ｂの縫合部１０ａよりも短く設定し、腹部から股間後部に当たる生地１ａ、１ｂとの縫合の際に脇腹部から臀部、太腿を被う生地２側を引っ張りながら縫合する。【００１１】脇腹部から臀部、太腿を被う生地２の伸縮の方向は強い伸縮性を持つ方向の地ノ目をウエストと平行とし、腹部から股間後部に当たる生地１ａ、１ｂとの縫合部８ｂ中の下腹部から恥骨部分１０ｂ近辺における地ノ目は、腹部から股間に当たる生地１ａ、１ｂとの縫合部１０ａと縫合する際に下に引きながら縫合する事になる為、着用時の地の目は、腹部から股間後部に当たる生地１ａ、１ｂの寸法で腹部に着くことで、臀部、太腿を被う生地２の前記縫合部１０ｂ近辺の地ノ目は股間に向かって下がり、つまり脇に向かい上方向となる。
【作用】
【００１２】以上、前記で述べた構成のガードルを着用すると、先ず、腹部の生地が恥骨部分まで続いている事で下腹を押さえる事ができ、縦方向が非伸縮の平面となっている事で脂肪の下垂を防ぐ事ができる。
【００１３】また
【００１１】で述べた様に脇腹部から臀部、太腿を被う生地２の下腹部から恥骨部分のスパンデックス糸の地ノ目が脇に向かって上方向になっている為、着用時のこの部分の伸縮の方向も脇方向に上がる伸縮となる。その為下腹部から恥骨部分の縫合部も、上斜め方向に引っ張られる形となり、腹部から股間後部に当たる生地１ａ、１ｂも引きあがる事となる。
【実施例】
【００１４】以下、実施の形態の一例を図３を持って説明する。今回の本考案品の実施の対象者はウエスト寸法６７〜７５ｃｍの女性を対象とした寸法設定とした。【００１５】素材は腹部から股間後部に当たる生地１ａには２８０デニールの一方は伸縮性を有し、垂直に交わる一方には融通性はあるが伸縮性のない生地を用い、２重使いの１ｂにも同素材を使用した。また脇腹部から臀部、太腿を被う生地２には２８０デニールの両方向ともに伸縮性を持った生地を使用した。【００１６】先ずに腹部から股間後部に当たる生地１のウエスト寸法４を２１ｃｍとし恥骨部に当たる幅７を７ｃｍとする腹部に於いて、８ａの様な斜め切り替え線を作り股間布、通称マチと一体化させた。【００１７】この時のウエストから腹部を斜めに通り股間後部に当たる生地１ａ、１ｂの前記の股間後部まで続く切り替え線８ａの寸法は３７．５ｃｍ、腹部前中心から股間中央後部までの寸法６を３８ｃｍとし、同素材、同形状を２重使いとした。【００１８】次に脇腹部から臀部、太腿を被う生地２のウエスト寸法５は、腹部から股間に当たる生地１ａ，１ｂとの縫合位置から後中心までで２２ｃｍとした。また脇腹部から臀部、太腿を被う生地２における腹部から股間後部に当たる生地１ａ、１ｂとの縫合部である８ｂは、下腹部から恥骨部分に当たる寸法１０ｂの箇所を腹部から股間に当たる生地１ａ、１ｂの１０ａに比べ２．５ｃｍ縮めた形状とし、脇腹部から臀部、太腿を被う生地２の８ｂの３５ｃｍに設定した。【００１９】前記の腹部から股間に当たる生地１ａ、１ｂの８ａと、脇腹部から臀部、太腿を被う生地２の縫合線８ｂを縫合する際にウエストから腹部中央の９ａ、９ｂは各各１２ｃｍとし同寸で縫合し、以下２０ｃｍの１０ａ、１０ｂの間で脇腹部から臀部、太腿を被う生地２の縫合部１０ｂを２．５ｃｍ伸ばしながら縫合し、更に以下股間後部１１ａ、１１ｂは５．５ｃｍで同寸の縫合をした。【００２０】前記の縫合線８ａ、８ｂの縫合法としては伸縮性を損なわない縫い方とし、今回は生地を重ねて千鳥縫いを用いた。【００２１】他の箇所の縫合はすべて同寸での縫合となる。臀部中心に当たる後中心１５は２５ｃｍとし脇腹部から臀部、太腿を被う生地２の各一枚の同位置での縫合となり、マチ後部１２と後ろ太腿にあたる１３は腹部の切り替え線８ａ，８ｂを縫合した時点で一つの線となっており、これを脇腹部から臀部、太腿を被う生地２の後中心線１５の下にある１４と縫合すると脚付きパンツの形状となる、以上を縫製する際もゴム糸、千鳥縫いとし、伸縮性を保ったままにした。【００２２】以上、形成された物のウエスト部と足口の裁ち端をウエストは１３ｍｍのゴムをつけ、足口は２５ｍｍ幅の伸縮性のレースをつけ、裁ち端を見えない様にした。
【効果】
【００２３】以下、効果を本考案のポイントである腹部を中心に説明する。
また本考案の効果を比較し易くする為に、比較実験品を持って説明する。図４は比較実験品の展開図である。前腹部の腹部から股間後部に当たる生地１６と図３の１ａと同形状だが、２重使いとなるもう一枚の１７はウエストから臍下１０ｃｍの下腹部までの形状とし、上恥骨部分から股間までのマチは１枚のみとする。更に脇腹部から臀部、太腿を被う生地１８は腹部から股間に当たる生地１６との縫合部分１９ａ、１９ｂの寸法差をなくし同寸の縫合をする寸法設定とした。以上の実験品は前記の２点を除いて、素材、形状の条件は全く同じとした。
【００２４】今回着用者のヌード寸法はウエスト寸法７４ｃｍ、臍下６ｃｍ位置の下腹部回り９０ｃｍ、ヒップ寸法８７ｃｍ、腹部ウエスト中央から恥骨までの前中心寸法は２５ｃｍであった。先ず、本考案品と前記の実験品を着用した直後の状態では、本考案品、実験品供にウエスト着用位置は着用者のウエスト位置より２ｃｍほど上の位置で着いた。この時の着用者の寸法は本考案品の場合、ウエスト７２，５ｃｍ、下腹部回り８７ｃｍ、ヒップ８５ｃｍ、腹部ウエスト中央から恥骨までの前中心寸法は２３ｃｍであり、実験品の寸法はウエスト７２．５ｃｍ、下腹部回り８８ｃｍ、ヒップ８５ｃｍ、腹部ウエスト中央から恥骨までの前中心寸法は２３，５ｃｍとこの時点での差は少ない。
【００２５】その後、着用者には前記の２点を各々着用したまま日常動作をして貰い、２時間後再び計測を行った。先ず、着用ウエスト位置であるが本考案品は着用時より１ｃｍ内ほど下がっていたが、実験品は２ｃｍ下がっていた。
【００２６】更に前記の計測箇所４点を測った所、本考案品ではウエスト７３ｃｍ、下腹部８８ｃｍ、ヒップ８５ｃｍ、前中心は２３ｃｍとなっており、実験品においてはウエスト７３ｃｍ、下腹部８９．５ｃｍ、ヒップ８５ｃｍ、前中心は２４．５ｃｍとなっていた。
【００２７】以上の結果から時間経過後の下腹部においては如実な差が見られ、前中心の伸びと共に腹部のずり下がりが見られ、下腹部の寸法の広がりも確認できた。
【００２８】他、設定寸法内の女性数人に同じ計測を行った所、時間経過後の寸法の動きは、ウエスト部分の下がり方と下腹部の寸法の増え方は差の大小はあるものの、同じ傾向が見られた。
【００２９】結果、本考案品は下腹部の膨出や下垂において、より防止する効果がある事がわかった。
【図面の簡単な説明】
【００３０】
【図１】本考案品の実施の一例の斜視図である
【図２】既存の商品の一例の斜視図である
【図３】本考案品の実施の一例の解体図である
【図４】比較実験品の解体図である
【符号の説明】
【００３１】１ａ
【図１】
【図３】
における腹部から股間に当たる生地
１ｂ  １と同形状の生地
２
【図１】
【図３】
における脇腹部から臀部、太腿を被う生地
３
【図３】
におけるウエスト寸法
４    １のウエスト寸法
５    ２のウエスト寸法
６    １における腹部前中心のウエストから股間中央後部までの寸法
７    １ａ、１ｂにおける恥骨部の幅寸法
８ａ  １ａ、１ｂにおける２との縫合部
８ｂ  ２における１ａ、１ｂとの縫合部
９ａ  ８ａにおけるウエストから腹部中央までの寸法
９ｂ  ８ｂにおけるウエストから腹部中央までの寸法
１０ａ  ８ａにおける下腹部から恥骨後部までの寸法
１０ｂ  ８ｂにおける下腹部から恥骨後部までの寸法
１１ａ  ８ａにおける恥骨後部から股間後部までの寸法
１１ｂ  ８ｂにおける恥骨後部から股間後部までの寸法
１２    １におけるマチ後部の寸法
１３    後ろ太腿にあたる縫合線
１４    後ろ太腿にあたる縫合線
１５    ２における後ろ中心寸法
１６
【図４】
における腹部から股間に当たる生地
１７
【図４】
における１６と２重にする生地
１８
【図４】
における脇腹部から臀部、太腿を被う生地
１９ａ    １６における１８との縫合線
１９ｂ    １８における１６との縫合線
【図１】
0003107502.tif 000003
【図２】
0003107502.tif 000004
【図３】
0003107502.tif 000005
【図４】
0003107502.tif 000006